(57)【要約】【課題】キッチン内において、室外のごみ収納庫に貯留したごみの量を容易に、かつ、正確に知ることのできるごみ収納装置を提供する。【解決手段】外壁６を挟んで室内側に開口するごみ投入口４と、投入されたごみを屋外のごみ収納庫２に排出するために外壁６を貫通して斜設されたシュータ５と、該ごみ収納庫２を収容するハウジング部３と、上記ごみ収納庫２に貯留したごみの位置を検知する位置検知手段１およびごみの位置を表示する位置表示手段９とからなり、上記ハウジング部３の背板３２にヒンジ結合された側板３４の最下部には上記ごみ収納庫２の位置決め用凸部３４１が設けられるとともに、位置決め用ストッパ３３１が上記側板３４と対向する側板３３に内接してハウジング部底面３５に設けられたごみ収納装置。【選択図】図１
2005306519.tif 000002
【特許請求の範囲】
【請求項１】
外壁を挟んで室内側に開口するごみ投入口と、投入されたごみを屋外のごみ収納庫に排出するために外壁を貫通して斜設されたシュータと、該ごみ収納庫を収容するハウジング部と、上記ごみ収納庫に貯留したごみの位置を検知する位置検知手段およびごみの位置を表示する位置表示手段とからなり、上記ハウジング部の背板にヒンジ結合された側板の最下部には上記ごみ収納庫の位置決め用凸部が設けられるとともに、位置決め用ストッパが上記側板と対向する側板に内接してハウジング部底面に設けられたごみ収納装置。
【請求項２】
上記ごみ位置検知手段が複数組の赤外線センサーからなるとともに、該赤外線センサーを構成する投光部がハウジング部前板の下部裏面の複数位置に設けられ、上記投光部に対応する受光部がハウジング部背板の下部の複数位置に設けられた請求項１に記載のごみ収納装置。
【請求項３】
上記ごみ収納庫の前面には透明部材で形成された複数の前部透明窓が、後面には透明部材で形成された複数の後部透明窓が設けられた請求項１に記載のごみ収納装置。
【請求項４】
上記ごみ位置表示手段が室内に設けられるとともに、該ごみ位置表示手段がＬＥＤの点灯によりごみ収納庫に貯留したごみの位置を表示する請求項１に記載のごみ収納装置。
【請求項５】
上記ごみ投入口の開閉動作時は、上記ごみ位置検知手段の作動を停止するロック回路を備えた請求項１に記載のごみ収納装置。
【発明の詳細な説明】
【技術分野】
【０００１】
本発明は、ごみ収納装置に関する。さらに詳しくは、キッチンからのごみ、とくに、生ごみをキッチン内の投入口から屋外の収納装置に直接排出し、一時保管するごみ収納装置の構造に関する。
【背景技術】
【０００２】
従来、キッチンで発生する生ごみは一定量が溜まると、屋外のごみ容器に移し、ごみ収集日にまとめて廃棄されてきた。しかしながら、その都度、屋外に生ごみを運ぶのは面倒であり、また、水分が洩れたりして不衛生でもあるので、近年キッチンの投入口から直接、生ごみを屋外の収納庫に排出できるごみ収納装置が開発されている。しかしながら、屋外の収納庫に貯留した生ごみの量をキッチン内で確認することは困難で、しばしば入れ過ぎてシュータに生ごみが詰まったり、ごみ収納庫が溢れるという問題がある。そこで、キッチンにいながら、ごみ収納庫に貯留したごみの量を確認できるごみ収納装置が求められている。
【特許文献１】特開平８−２２９５３６号公報（第１−３頁、第１図）
【発明の開示】
【発明が解決しようとする課題】
【０００３】
上記文献には、生ごみ処理装置における生ごみと処置材の合計量を処理槽内に占める高さで認識し、その高さを光電センサーで検知し、表示する技術が開示されている。しかしながら、上記技術を直ちにごみ収納装置に適用することは困難である。本発明はこのような状況の下で考え出されたものであって、キッチン内において、室外のごみ収納庫に貯留したごみの量を容易に、かつ、正確に知ることのできるごみ収納装置を提供することをその課題とする。
【課題を解決するための手段】
【０００４】
上記課題を解決するため、本発明においては、つぎのような技術的手段を講じている。すなわち、本発明によれば、外壁を挟んで室内側に開口するごみ投入口と、投入されたごみを屋外のごみ収納庫に排出するために外壁を貫通して斜設されたシュータと、該ごみ収納庫を収容するハウジング部と、上記ごみ収納庫に貯留したごみの位置を検知する位置検知手段およびごみの位置を表示する位置表示手段とからなり、上記ハウジング部の背板にヒンジ結合された側板の最下部には上記ごみ収納庫の位置決め用凸部が設けられるとともに、位置決め用ストッパが上記側板と対向する側板に内接してハウジング部底面に設けられたごみ収納装置が提供される。
【０００５】
上記ごみ位置検知手段が複数組の赤外線センサーからなるとともに、該赤外線センサーを構成する投光部がハウジング部前板の下部裏面の複数位置に設けられ、上記投光部に対応する受光部がハウジング部背板の下部の複数位置に設けられることが好ましい。通常、上記赤外線センサーは、ごみ収納庫に貯留されたごみの上層部、中層部、下層部に相当する上段、中段、下段の３個所に設けられることが好ましい。
【０００６】
上記ごみ収納庫の前面には透明部材で形成された複数の前部透明窓が、後面には透明部材で形成された複数の後部透明窓が設けられることが好ましい。透明部材としては、とくに、限定されるものではないが、ポリ塩化ビニル、ポリエチレン、ポリプロピレン等の透明プラスチックから形成されたものが好ましく用いられる。
【０００７】
上記ごみ位置表示手段が室内に設けられるとともに、該ごみ位置表示手段がＬＥＤの点灯によりごみ収納庫に貯留したごみの位置を表示することが好ましい。また、上記ごみ投入口の開閉動作時は、上記ごみ位置検知手段の作動を停止するロック回路を備えることが好ましい。
【発明の効果】
【０００８】
請求項１に記載の発明は上記のとおりであり、とくに、上記ハウジング部の背板にヒンジ結合された側板の最下部には上記ごみ収納庫の位置決め用凸部が設けられるとともに、位置決め用ストッパが上記側板と対向する側板に内接してハウジング部底面に設けられるため、ごみ収納庫をハウジング部内にしっかりと位置決めすることができる。
【０００９】
上記ごみ位置検知手段を構成する複数組の赤外線センサーの投光部がハウジング部前板の下部裏面の複数位置に設けられ、上記投光部に対応する受光部がハウジング部背板の下部の複数位置に設けられるため、ごみの貯留程度を段階的に検知することができる。
【００１０】
上記ごみ収納庫の前面には透明部材で形成された複数の前部透明窓が、後面には透明部材で形成された複数の後部透明窓が設けられているため、投光部からの赤外線は、前部透明窓および後部透明窓を透過してハウジング部の背板に設けられた受光部に到達することが可能となり、ごみの位置を正確に検知することができる。
【００１１】
上記ごみ位置表示手段が室内に設けられるとともに、ＬＥＤの点灯によりごみ収納庫に貯留したごみの位置が表示されるため、明るい輝度、かつ、少ない消費電力で、明確にごみの位置を知ることができる。また、上記ごみ投入口の開閉動作時は、上記ごみ位置検知手段の作動を停止するロック回路を備えているため、複数組の赤外線センサーが、投下されたごみによって誤作動することを防げる。
【発明を実施するための最良の形態】
【００１２】
以下、本発明の実施形態について図面を参照して、詳細に説明する。図１は、本発明にかかるごみ収納装置の一部を破断して示す説明図であり、図２は、図１におけるＸ−Ｘ線に沿う部分側断面図である。図１、図２からよくわかるように、上記ごみ収納装置本体は外壁６を挟んで室内側に開口するごみ投入口４と、投入されたごみを屋外に設置されたごみ収納庫２に排出するために、外壁６を貫通して斜設されたシュータ５と、上記ごみ収納庫２を収容するハウジング部３とからなるとともに、ハウジング部３は、ごみ収納庫２で発生する臭気を排気するための排気ファンＦを備えている。
【００１３】
後記図４のブロック図に示すように、ごみ収納庫２に貯留したごみの位置を検知するごみ位置検知手段１は、図２に示す上段赤外線センサー１１と中段赤外線センサー１２と下段赤外線センサー１３とからなり、ごみの位置を表示するごみ位置表示手段９は、室内キッチンに設けられている。上記ごみ位置検知手段１からの信号は制御部８で受信され、制御部８はごみ位置表示手段９にＬＥＤ点灯を指令する。
【００１４】
上段赤外線センサー１１、中段赤外線センサー１２、下段赤外線センサー１３は各々投光部と受光部とからなるとともに、投光部１１ａ、１２ａ、１３ａは、ごみ収納庫２内のごみの上層、中層、下層の各位置に相当するようにハウジング部３の前板３１の下部裏面に設けられ、投光部１１ａ、１２ａ、１３ａからの赤外線が透過するように上記ごみ収納庫２の前面２１と後面２２には透明部材で形成された前部透明窓２１１、２１２、２１３と後部透明窓２２１、２２２、２２３とが各々設けられている。さらに、各投光部１１ａ、１２ａ、１３ａから投光され、上記のようにしてごみ収納庫２の前面２１と後面２２とを透過した赤外線を受ける受光部１１ｂ、１２ｂ、１３ｂがハウジング部３の背板３２の下部に設けられている。
【００１５】
図１によく示されているように、ハウジング部３の右側板３４は背板３２に回動自在にヒンジ結合されるとともに、右側板３４の最下部には位置決め用凸部３４１が設けられている。この右側板３４は回動自在にヒンジ結合されているため扉体としても機能し、矢印に示すように回動させてごみ収納庫２を取出すことができる。また、空にされたごみ収納庫２をセットして閉じれば、再びハウジング部３を構成する右側板３４となる。上記位置決め用凸部３４１は、右側板３４を閉じたときに、ごみ収納庫２の底部右側面に押し当てられ、ごみ収納庫２を押すとともに、押されたごみ収納庫２は、ハウジング部３の左側板３３に内接して、その底面３５に設けられた位置決め用ストッパ３３１によって受けられる。
【００１６】
図３は、右側板３４を閉じたときの、図１におけるＹ−Ｙ線に沿う要部縦断面図である。図３から、ごみ収納庫２がハウジング部３に収容されるとともに、位置決め用凸部３４１と位置決め用ストッパ３３１によって、ごみ収納庫２の所定位置にしっかりと位置決めされていることがわかる。その結果、投光部１１ａ、１２ａ、１３ａからの赤外線は、ごみ収納庫２に設けられた前部透明窓２１１、２１２、２１３と後部透明窓２２１、２２２、２２３とを真っ直ぐに透過してハウジング部３の背板３２に設けられた受光部１１ｂ、１２ｂ、１３ｂに到達するため、誤作動することなくごみの位置を検知することができる。
【００１７】
つぎに、上段赤外線センサー１１と中段赤外線センサー１２と下段赤外線センサー１３とからなるごみ位置検知手段１の動作について、図４に示すブロック図を参照して説明する。まず、制御部８はシュータ５から排出されたごみによる赤外線遮断を検知しないように、ごみ投入口４が閉のときのみ、上記赤外線センサー１１、１２、１３からの信号を検知するロック回路７を備えるとともに、ごみ収納庫２にごみが貯留して赤外線が遮断されると赤外線遮断信号を受信し、室内に設置されたごみ位置表示手段９にＬＥＤ点灯を指令する。
【００１８】
すなわち、ごみ収納庫２にごみが溜まり始めると下段赤外線センサー１３の投光部１３ａからの赤外線はごみによって遮断され、受光部１３ｂは赤外線遮断を検知し制御部８に遮断信号を送信する。遮断信号を受信した制御部８は、上記ごみ位置表示手段９にＬＥＤ３点灯を指令するとともに、さらにごみが溜まると、上記と同様にして制御部８はＬＥＤ２点灯を指令し、最後には、ＬＥＤ１点灯を指令する。
【００１９】
使用者は、ＬＥＤ３、ＬＥＤ２、ＬＥＤ１の点灯によって、ごみ収納庫２内のごみの貯留状態が室内で段階的にわかり、ＬＥＤ１の点灯によってごみ収納庫２が一杯となったことを知った時点で、ハウジング部３の右側板３４を回動してごみ収納庫２を取出す。かくして、室内において室外に設置されたごみ収納庫２内のごみ貯留状態を知ることができるため、ごみの投入し過ぎによるシュータ５の詰まりやごみ収納庫２の溢れ等の問題を解決することができる。
【図面の簡単な説明】
【００２０】
【図１】本発明にかかるごみ収納装置の一部を破断して示す説明図である。
【図２】図１におけるＸ−Ｘ線に沿う部分側断面図である。
【図３】図１における右側板を閉じたときのＹ−Ｙ線に沿う要部縦断面図である。
【図４】本発明のごみ位置検知手段の動作を説明するブロック図である。
【符号の説明】
【００２１】
１          ごみ位置検知手段
１１        上段赤外線センサー
１１ａ      投光部
１１ｂ      受光部
１２        中段赤外線センサー
１２ａ      投光部
１２ｂ      受光部
１３        下段赤外線センサー
１３ａ      投光部
１３ｂ      受光部
２          ごみ収納庫
２１        前面
２１１      前部透明窓
２１２      前部透明窓
２１３      前部透明窓
２２        後面
２２１      後部透明窓
２２２      後部透明窓
２２３      後部透明窓
３          ハウジング部
３１        前板
３２        背板
３３        左側板
３３１      位置決め用ストッパー
３４        右側板
３４１      位置決め用凸部
３５        底面
４          ごみ投入口
５          シュータ
６          外壁
７          ロック回路
８          制御部
９          ごみ位置表示手段
Ｆ          排気ファン
【図１】
2005306519.tif 000003
【図２】
2005306519.tif 000004
【図３】
2005306519.tif 000005
【図４】
2005306519.tif 000006